(57)【要約】      （修正有）【課題】中度若しくは軽度の障害者のための入浴施装置であって、介護者の負担をより低減し、被介護者にとって、通常の浴槽に入浴するような感覚で、より快適な入浴を可能とする介護用浴槽装置及び介護用洗浄装置を提供する。【解決手段】浴槽１内に水平に設けられた移動フロア４と、浴槽開口縁部２となだらかに続く位置から浴槽底方向に移動フロアを移動可能とするフロア移動手段と、移動フロアの上面に設けられた車止め７とを備えた介護用浴槽装置及び、車椅子５が出入可能にコの字状に浴場床面に設けた仕切壁と、下半身洗浄用ノズルと、洗浄用上下動シャワーと、温風ノズルと、洗髪用シャワーとを備えた介護用洗浄装置を採用することにより、介護者の負担を低減し、被介護者がリラックスして入浴、洗浄することができる。【選択図】        図１
2004248748.tif 000002
【特許請求の範囲】
【請求項１】
浴槽と、浴場床面と、前記浴場床面となだらかに続く浴槽開口縁部と、前記浴槽内に水平に設けられた可動フロアと、浴槽開口縁部となだらかに続く位置から浴槽底方向に可動フロアを移動可能とするフロア移動手段と、可動フロアの上面に設けられた車止めとを備えた介護用浴槽装置。
【請求項２】
可動フロアの上面に手すりを設けたことを特徴とする請求項１の介護用浴槽装置。
【請求項３】
浴槽開口縁部に近い位置である車椅子の通常使用位置用の車止めと、車椅子をリクライニングした場合において背もたれが浴槽開口縁部と接触しないリクライニング位置用の車止めとを可動フロアに設けたことを特徴とする請求項１の介護用浴槽装置。
【請求項４】
車椅子が出入可能なように浴場床面に設けたコの字状の仕切壁と、前記仕切壁の中央部の下方に設けられ、上方に向けられた下半身洗浄用ノズルと、前記仕切壁の中央部の上方に設けられ、下方に向けられた洗浄用上下動シャワーと、上下可動かつ首振り可動に前記仕切壁に設けた温風ノズルと、前記仕切壁に設けた頭部受け台と、前記頭部受け台の近傍に設けた洗髪用シャワーとを備えた介護用洗浄装置。
【請求項５】
着座部と背もたれを有する車椅子と、前記着座部の中央に設けられた開口部と、背もたれを通常位置とリクライニング位置で固定可能なストッパーを設けた請求項４の介護用洗浄装置。
【発明の詳細な説明】
【０００１】
【発明の属する技術分野】
本発明は、入院患者、障害者（以下、被介護者という）に好適な介護用浴槽装置及び介護用洗浄装置に関する。
【０００２】
【従来の技術】
被介護者を入浴させる装置としては、例えば特許文献１がある。特許文献１記載の入浴介護装置は、浴槽内の支持フレームに、浴槽内部に背もたれ付きの座席を昇降手段を介し取付け、座席に座った入浴者を昇降させることによって入浴させるものである。
病院、特別老人ホーム等の障害者のケア施設には、自分自身では、ほとんど身動きが出来ない重度障害者以外にも、日常生活を送るのにあまり手のかからない者も多く存在する。例えば車椅子を使用しているものの知識障害が全くない者などは、通常の浴槽施設には入浴が困難であるが、既存の障害者用の浴槽施設には、介護者の手を煩わすことなどから、入浴の頻度は限られ、入浴時もリラックスして入浴することが出来なかった。それ故、被介護者は、汚れを落とすためだけ、致し方なく入浴するのが現状であった。
【０００３】
【特許文献１】
特開２００２−０６５８０１公報
【０００４】
【発明が解決しようとする課題】
上記特許文献１記載の装置においては、浴槽施設が一番障害の重い、重度障害者が用いることを念頭に置き設計されたものであった。
それゆえ、障害の度合いの少ない者にとっては、過剰な設備ともいいうるもので、リラックスして入浴ができるものではなく、介護する側にとっても、障害の度合いに見合わない必要以上の介護を強いられる場合があった。
本発明は、上述した従来の問題点に鑑みてなされたものであり、その目的とするところは、中度若しくは軽度の障害者のための入浴施装置であって、介護者の負担をより低減し、被介護者にとって、通常の浴槽に入浴するような感覚で、より快適な入浴を可能とする介護用浴槽装置を提供することにある。
さらには中度若しくは軽度の障害者のための洗浄装置であって、介護者の負担をより低減し、被介護者にとって、リラックスした状態で洗浄できる介護用洗浄装置を提供することにある。
【０００５】
【課題を解決するための手段】
上記課題を解決するために本願発明は、浴槽と、浴場床面と、前記浴場床面となだらかに続く浴槽開口縁部と、前記浴槽内に水平に設けられた可動フロアと、浴槽開口縁部となだらかに続く位置から浴槽底方向に可動フロアを移動可能とするフロア移動手段と、可動フロアの上面に設けられた車止めとを備えた介護用浴槽装置とする。
【０００６】
また、この場合、可動フロアの上面に手すりを設けた介護用浴槽装置とする。
また、この場合、浴槽開口縁部に近い位置である車椅子の通常使用位置用の車止めと、車椅子をリクライニングした場合において背もたれが浴槽開口縁部と接触しないリクライニング位置用の車止めとを設けた介護用浴槽装置とする。
【０００７】
また、車椅子が出入可能なよう浴場床面に設けたコの字状の仕切壁と、前記仕切壁の中央部の下方に設けられ、上方に向けられた下半身洗浄用ノズルと、前記仕切壁の中央部の上方に設けられ、下方に向けられた洗浄用上下動シャワーと、上下可動かつ首振り可動に前記仕切壁に設けた温風ノズルと、前記仕切壁に設けた頭部受け台と、前記頭部受け台の近傍に設けた洗髪用シャワーとを備えた介護用洗浄装置とする。
【０００８】
また、この場合、着座部と背もたれを有する車椅子と、前記着座部の中央に設けられた開口部と、背もたれを通常位置とリクライニング位置で固定可能なストッパーを設けた介護用洗浄装置とする。
【０００９】
上記構成を採用することにより、被介護者は車椅子に乗ったまま、浴場床面からなだらかに段差なく続く可動フロアへと介護者が車椅子を押すだけで搬送でき、可動フロアへ車椅子を設置した後は、フロア移動手段により浴槽底面方向に移動することにより、介護者は過分な労力を強いられることがなく、また被介護者は、一人でリラックスした気分で入浴することができる。
【００１０】
また、手すりを設けたので、被介護者はより安心した状態で可動フロアへの移動及び入浴が可能となる。
【００１１】
また、車止めを通常使用、リクライニング可能な位置の２カ所に設けたので、一つの設備で被介護者の好み及び障害状況に応じた入浴が可能となる。
【００１２】
また、車椅子が出入可能にコの字状に浴場床面に設けた仕切壁内で洗浄可能としたので、高級旅館又はゴルフ場の洗い場のように他の人に見られることがなく、独立したスペースで洗浄できるのでリラックスできる。下半身洗浄用ノズルを設けたので介護者の手を煩わすことなく、被介護者は羞恥心を感じることなく洗浄することができる。洗浄用上下動シャワーを設けたので、リクライニング状態及び通常に座った状態においても適当な位置でシャワーを浴びることができるとともに、被介護者の身体の大きさ及び好みに合わせて位置を調整できる。上下可動かつ首振り可動に前記仕切壁に設けた温風ノズルを設けたので、洗浄のみならず乾燥もすることができる。また、頭部受け台の近傍に設けた洗髪用シャワーとを設けたので、仕切壁内の独立したスペースで頭部の洗浄を行うこともできる。
また、着座部に開口部を設けた車椅子を用いると下半身洗浄をより効果的に行うことができる。そして、リクライニング可能とすることで、被介護者の好み及び症状に合わせた洗浄を行うことができる。
【００１３】
【発明の実施の形態】
以下、この発明の実施の一形態を説明する。
実施の形態１．
図１はこの発明の実施の形態１による介護用浴槽装置の断面図である。そして図２は、図１の上方からの概略図である。
【００１４】
浴場床面３から掘り下げられるように浴槽１は設けられており、浴槽開口縁部２と浴場床面３とは、ほぼ同一レベルに設置されている。そして、浴槽内には上下動可能な可動フロア４が設けられている。浴場床面３には千鳥に滑り止めタイルを用いるなど、浴槽開口縁部２、可動フロア４の介護者が進入可能な場所の上面に滑り止めの機能を有する処理が施されている。浴槽１はホーロー引きでも良いが、リラックス効果を高めるため、檜等の温泉、旅館などで用いられる材料を使用した方がより好ましい。
浴槽１からこぼれた湯がたまらぬ程度、浴槽開口縁部２が浴場床面３より若干高くなる構造としてもよいが、可能な限り浴場床面３及び浴槽開口縁部２は極力なだらかに続くように設けられている。
【００１５】
浴槽１内に上下動可能に設けられた可動フロア４は、被介護者が搬送されるまでは、その上下位置は浴槽開口縁部２と同一の場所で待機してある。この位置で待機させておくと、被介護者が待つことなくスムーズに搬送できるだけでなく、浴湯の蓋の機能を奏することから浴湯の温度低下を防止することができる。可動フロア４と浴槽開口縁部２は若干の間隙を有していても問題はないが、被介護者が浴槽開口縁部２から可動フロア４へと搬送されることを考慮して、可能な限り間隙を小さくした方が好ましい。
設計上、間隙が大きくなる場合は、例えば着脱自在な他の部材を用いて、なだらかに続くようにしても良い。要するに、浴場床面３、浴槽開口縁部２、可動フロア４の上を車椅子５が極力衝撃なく移動可能なように、極力段差がなく、なめらかに続くようにすればよいのである。
【００１６】
リクライニング付きの搬送車である車椅子５にベルト等で固定された被介護者は、浴場床面３から浴槽開口縁部２を経て可動フロア４へと、介護者に押され搬送される。介護者の好み及び病状等を鑑み、リクライニング位置で入浴する被介護者は、図１の右側のように可動フロア４の先端にて車椅子５を車止め６にて固定し、リクライニングせず通常位置で入浴する被介護者は図１の左側のように浴壁に近い側にて車椅子を車止め７に固定する。
介護者が搬送するので転落の危険はないが、介護者の安心感を増すために、車椅子５が進入する部分を除いた可動フロア４の端部に転落防止用の凸部及び手すりを設けても良い。
【００１７】
被介護者が搬送された可動フロア４は浴槽１の側壁に設けられた支持部材により支持され、その支持部材にロープの一端を固定し、浴槽１外に設けられた上下自動操作ボタン１１により動かされるウインチ８もしくは巻き取りプーリ９に連結された手動ハンドル１０等の周知の駆動装置を用いロープを操作することにより、浴槽底方向に移動される。図にはウインチ８等のロープを用いた例を示したが、チェーン、ギア等の機構を用いた装置でも良いし、浴槽底面に可動フロア４を支持する部材を設け、ジャッキアップさせるようにしても良い。但し、浴槽１内に漏油等、漏電しないように十分配慮した構造にしなければならない。
リクライニング位置、通常位置いずれの状態で被介護者が入浴するか、また、被介護者の体の大きさ等を考慮して、可動フロア４の下降位置を適宜調節できるようにすると良い。
【００１８】
浴槽１に浸かった被介護者は、可動フロア４までは介護者の介護を必要とするものの、入浴中はあたかも温泉に一人で浸かっているような開放感を得られ、病院若しくは介護施設にいることを忘れることができる。
好ましくは、複数の被介護者が入浴できるように大きな浴槽を用いた方が、温泉旅館の大浴場のように感じられ、より開放感が高まる。また、可動フロア４の隣に浅い浴槽部分を設け、親類縁者等一般人が被介護者と一緒に入浴できるようにしても良い。
【００１９】
保温するためにヒータ等の加熱手段を設け、被介護者の好み、病状等を鑑み、浴湯の温度設定を可変としても良いし、最初は浴湯の温度を低く設定し、徐々に温度を上げることにより、被介護者の快適感を増すことも出来る。もちろん、浴槽１の側壁面に噴流口を設けてジェットバスとしても良いし、浴槽底面に気泡噴出口を設けバブルバスとしても良い。
入浴が終了すると、待機していた介護者は可動フロア４を操作し、浴槽開口縁部２と同レベルまで上昇させる。車止め６，７を外し、車椅子５を浴場床面３へと搬送する。
【００２０】
実施の形態２．
図３はこの発明の実施の形態２による介護用洗浄装置の正面図である。そして図４は、図３の上方からの概略図であり、図５は、図３の側面からの断面図である。
【００２１】
図３に示すように実施の形態２の介護用洗浄装置は、車椅子が出入り可能なように開口部が設けられたコの字状の仕切壁２０が設けられている。この仕切壁２０は図５を見てもわかるように、頭部側の仕切壁は低く、頭部側の仕切壁と連なる側面の仕切壁は低く、足方向部分の側面の仕切壁は高い構造になっている。
コの字状の仕切壁２０の内側には下半身洗浄ノズル２１、洗浄用上下動シャワー２２、温風ノズル２３、洗髪台２４、洗髪用シャワー２５、ターンテーブル２６が設けられている。
【００２２】
リクライニング可能な背もたれのある、着座部の中央に開口部のある専用の車椅子５に乗った被介護者は、介護者に付き添われ、コの字状の仕切壁２０の内側へと搬送される。ターンテーブル２６上の車止め６，７で車椅子５を固定した後、１８０度車椅子５を回転させ、洗髪台２４側に頭が向くように配置する。
なお、ここでターンテーブル２６を用いたが、開口部から後ろ向きに介護者が車椅子５を引っ張り、被介護者をコの字壁２０内に搬送した後、コの字壁２０の一部分に設けられた出入り自由な開口から介護者が外に出るようにしても良いし、車椅子５を後ろ向きにして、介護者が車椅子５を押すようにしても良い。いずれにしろ図３〜５に示すような向きに被介護者をコの字状の仕切壁２０内に配置すればよいのである。
【００２３】
その後、仕切壁２０の中央部の下方に設けられ、上方に向けられた下半身洗浄用ノズル２１と、仕切壁２０の中央部の上方に設けられ、下方向に向けられた洗浄用上下動シャワー２２により、温水を噴出させて、洗浄を開始する。
ここで下半身洗浄用ノズル２１は、収納可能にして、被介護者を搬入した後、所定位置に配置するようにしても良い。
前述したように専用の車椅子５の着座部の中央が開口しており、被介護者の肛門等の汚れがちな下半身部分が露出するようになっている。露出した下半身部分を中心に下半身洗浄用ノズル２１から噴出された温水が供給されるようになっている。
【００２４】
洗浄用上下動シャワー２２は、図２のように上方から見ると円弧状の配管に複数個設けられたシャワーノズルから構成されており、被介護者の体の大きさ、車椅子５のリクライニング状態、また被介護者の好みにより、上下位置を調節できるようになっている。上方から見ると円弧状にシャワーを配置することにより、車椅子５の背もたれを通常位置にすると被介護者を中心にして、シャワーを配置することができ、リクライニング位置にした場合においても体を中心に程良く温水を供給することができる。
また、シャワーは上下位置のみならず適宜、縦横方向にも可動にしても良いし、複数個設けられたシャワーそれぞれに調節弁を設け、開閉可能、流量調節可能に設けても良いし、もちろん各々のノズルの向きを変えられるようにしても良い。
【００２５】
下半身洗浄ノズル２１及び洗浄用上下動シャワー２２は、洗浄開始時に温水に洗浄液を混入し、洗浄液にて洗浄した後、通常の温水で洗い流すと、効果的に被介護者を洗浄することができる。
洗浄中若しくは洗浄終了後、被介護者は車椅子５をリクライニング位置にする。被介護者は仕切壁２０に設けられた洗髪台２４の頭部受け台に頭を置き、介護者が洗髪用シャワー２５を用いて被介護者の洗髪を行う。洗髪台２４側の仕切壁２０が低くなっていることから介護者は仕切壁２０の外部から被介護者の洗髪ができるのである。また、側面の仕切壁２０が高くなっていることから、側方から恥部等が隠れ、羞恥心を減ずることができる。
【００２６】
洗髪終了後若しくは洗髪中には、仕切壁２０の側面に複数個設けられた温風ノズル２３にて乾燥を行う。温風ノズル２３は自動で首振り、上下動させ、体全体を乾燥させるように配置、駆動する。温風ノズルから供給される温風は、水滴を吹き飛ばすようジェット流であることが好ましいと共に、身体を乾燥させるように、火傷にならない程度に加温されかつ乾燥した温風が好ましい。
全ての工程が終了した後、介護者に付き添われ、浴場から脱衣所へと搬送される。
【００２７】
【発明の効果】
以上のように、この発明によれば、被介護者は車椅子に乗ったまま、浴場床面からなだらかに段差なく続く可動フロアへと介護者が車椅子を押すだけで搬送でき、可動フロアへ車椅子を設置した後は、フロア移動手段により浴槽底面方向に移動することにより、介護者は過分な労力を強いられることがなく、また被介護者は、一人リラックスした気分で入浴することができる。
【００２８】
この発明によれば、手すりを設けたので、被介護者はより安心した状態で可動フロアへの移動及び入浴が可能となる。
【００２９】
この発明によれば、車止めを通常使用、リクライニング可能な位置の２カ所に設けたので、一つの設備で被介護者の要望及び障害状況に応じた入浴が可能となる。
【００３０】
この発明によれば、車椅子が出入可能にコの字状に浴場床面に設けた仕切壁内で洗浄可能としたので、高級旅館又はゴルフ場の洗い場のように他の人に見られることがなく、独立したスペースで洗浄できるのでリラックスできる。下半身洗浄用ノズルを設けたので介護者の手を煩わすことなく、被介護者は羞恥心を感じることなく洗浄することができる。洗浄用上下動シャワーを設けたので、リクライニング状態及び通常に座った状態においても適当な位置でシャワーを浴びることができるとともに、被介護者の身体の大きさ及び好みに合わせて位置を調整できる。上下可動かつ首振り可動に前記仕切壁に設けた温風ノズルを設けたので、洗浄のみならず乾燥もすることができる。また、頭部受け台の近傍に設けた洗髪用シャワーとを設けたので、仕切壁内の独立したスペースで頭部の洗浄を行うこともできる。
【００３１】
この発明によれば、着座部に開口部を設けた専用の車椅子を用いると下半身洗浄をより効果的に行うことができる。そして、リクライニング可能とすることで、被介護者の好み及び症状に合わせた洗浄を行うことができる。
【図面の簡単な説明】
【図１】実施の形態１による介護用浴槽装置の断面図である。
【図２】図１の上方からの概略図である。
【図３】実施の形態２による介護用洗浄装置の正面図である。
【図４】図３の上方からの概略図である。
【図５】図３の側面からの断面図である。
【符号の説明】
１  浴槽
２  浴槽開口縁部
３  浴場床面
４  可動フロア
５  車椅子
６、７  車止め
８  ウインチ
９  巻取りプーリ
１０  上下手動ハンドル
１１  上下自動操作ボタン
２０  コの字状の仕切壁
２１  下半身洗浄ノズル
２２  洗浄用上下動シャワー
２３  温風ノズル
２４  洗髪台（頭部受け台）
２５  洗髪用シャワー
２６  ターンテーブル
【図１】
2004248748.tif 000003
【図２】
2004248748.tif 000004
【図３】
2004248748.tif 000005
【図４】
2004248748.tif 000006
【図５】
2004248748.tif 000007